(57)【特許請求の範囲】
【請求項１】
金属製の第１壁部、絶縁材製の第２壁部、を含む筐体と、
前記筐体に収納され、前記第２壁部の内側に配置されたタッチセンサ及びアンテナと、
前記筐体に収納された発光部と、
前記筐体に収納され、前記発光部を実装したプリント基板と、を備え、
前記第２壁部は、前記発光部からの光が通過する孔が形成されており、
前記筐体は、第１面、前記第１面に連続した第２面、前記第１面と前記第２面とにより画定される角部、を有し、
前記第２壁部は、前記角部の少なくとも一部を画定し、
前記角部から前記アンテナまでの距離は、前記角部から前記プリント基板までの距離よりも短いことを特徴とする電子装置。
【請求項２】
前記筐体に収納され、前記タッチセンサ及びアンテナを挟むように配置された２つのバッテリを備える、請求項１に記載の電子装置。
【請求項３】
前記発光部の光を前記孔にまで導く導光部材と、
前記発光部周辺を囲うと共に前記アンテナを支持する包囲部材と、を備えた請求項１に記載の電子装置。
【請求項４】
前記プリント基板は、スイッチを有し、
前記第２壁部には、前記スイッチを操作する操作部が設けられている、請求項１に記載の電子装置。
【発明の詳細な説明】
【技術分野】
【０００１】
本発明は、電子装置に関する。
【背景技術】
【０００２】
筐体、筐体に収納されたタッチセンサ及びアンテナ、を備えた電子装置が知られている。筐体を金属又は絶縁材で形成することが考えられる。一般的に、金属の密度は絶縁材の密度よりも大きく、金属の強度は絶縁材の強度よりも大きい。このため、薄い金属により筐体を形成することにより、絶縁材により筐体を形成した場合に比して、筺体の強度を確保しつつ軽量化を図ることができる。
【先行技術文献】
【特許文献】
【０００３】
【特許文献１】特開２００２−３１２０６３号公報
【特許文献２】特表２００２−５２９９９８号公報
【発明の概要】
【発明が解決しようとする課題】
【０００４】
しかしながら、金属製の筺体の壁部がタッチセンサを覆うと、タッチセンサへの操作を検知できないおそれがある。また、金属製の壁部がアンテナを覆うと、アンテナが電波を送受信できないおそれがある。このため、筺体の壁部のうち、タッチセンサを覆う部分とアンテナを覆う部分のみを絶縁材で形成することが考えられる。タッチセンサとアンテナとが分散して配置されている場合には、タッチセンサ覆う部分とアンテナを覆う部分を絶縁材により個別に形成することが考えられる。しかしながら、絶縁材で形成された壁部をそれぞれ個別に設けると、筺体の製造コストが高くなるおそれがある。
【０００５】
本発明は、コストの増大が抑制された電子装置を提供することを目的とする。
【課題を解決するための手段】
【０００６】
本明細書に開示の電子装置は、金属製の第１壁部、絶縁材製の第２壁部、を含む筐体と、前記筐体に収納され、前記第２壁部の内側に配置されたタッチセンサ及びアンテナと、前記筐体に収納された発光部と、前記筐体に収納され、前記発光部を実装したプリント基板と、を備え、前記第２壁部は、前記発光部からの光が通過する孔が形成されており、前記筐体は、第１面、前記第１面に連続した第２面、前記第１面と前記第２面とにより画定される角部、を有し、前記第２壁部は、前記角部の少なくとも一部を画定し、前記角部から前記アンテナまでの距離は、前記角部から前記プリント基板までの距離よりも短い。
【発明の効果】
【０００７】
コストの増大が抑制された電子装置を提供できる。
【図面の簡単な説明】
【０００８】
【図１】図１Ａ〜１Ｃは、本実施例のノート型コンピュータの説明図である。
【図２】図２は、筐体の分解斜視図である。
【図３】図３は、ケースの内側を示した斜視図である。
【図４】図４は、筺体の一部の部材を示した分解斜視図である。
【図５】図５は、筺体の一部の部材を示した分解斜視図である。
【図６】図６は、図４の部分拡大図である。
【図７】図７は、図５の部分拡大図である。
【図８】図８は、筐体の部分断面図である。
【図９】図９は、図８の部分拡大図である。
【図１０】図１０は、アンテナとプリント基板との位置関係の説明図である。
【発明を実施するための形態】
【０００９】
ノート型コンピュータを電子装置の一例として説明する。図１Ａ〜１Ｃは、本実施例のノート型コンピュータ１の説明図である。ノート型コンピュータ１は、筐体１０、２０を有している。筐体１０、２０は、２軸ヒンジＨにより連結されている。筐体１０は、上面１１、上面１１と対向する底面、上面１１及び底面の各面積よりも小さい側面１３、１５、を有している。側面１３、１５は、上面１１と底面を連結する面である。上面１１には、ノート型コンピュータ１を操作するためのキーボードＫ、カバー３０が設けられている。側面１５には、複数のポート、コネクタが設けられている。筐体１０内には、ノート型コンピュータ１の動作全体を制御するためのマザーボードが収納されている。
【００１０】
筐体２０は、正面２１、正面２１と対向する背面２２、正面２１及び背面２２の各面積よりも小さい面積を有した側面２３、２５、２６、を有している。側面２３、２５、２６は、正面２１と背面２２を連結する面である。正面２１には、表示ユニットＵが設けられている。表示ユニットＵは、画像を表示可能な表示パネルと、接触することにより操作可能なタッチパネルとを含んでいる。なお、タッチパネルは、抵抗膜方式、表面弾性波方式、赤外線方式、など各種方式のものを採用しうる。また、タッチペンが不要でユーザの指先と導電膜との間での静電容量の変化を利用する静電容量方式のタッチパネルを採用してもよい。また、タッチパネルの代わりに、電子ペンを利用する電磁誘導方式のペンタブレットも採用しうる。２軸ヒンジＨは、筐体１０、２０を異なる２つの軸心Ａ１、Ａ２周りに回転可能に連結している。軸心Ａ１、Ａ２は直交している。軸心Ａ１は、上面１１が広がる方向と平行に延びる。軸心Ａ２は、上面１１と交差する方向に延びる。つまり、軸心Ａ１と軸心Ａ２とは交差する。
【００１１】
図１Ａは、筐体１０の上面１１に筐体２０の正面２１が重なった第１重畳状態を示している。図１Ｂは、筐体１０、２０が開いた開状態を示している。図１Ｃは、筐体１０の上面１１に筐体２０の背面２２が重なった第２重畳状態を示している。ユーザが第１重畳状態から筐体２０を軸心Ａ１周りに回転させることにより、ノート型コンピュータ１は開状態になる。ユーザが、開状態のノート型コンピュータ１の筐体２０を軸心Ａ２周りに回転させることより、図１Ｂの状態から筐体２０の正面２１と背面２２とは反転する。筐体２０の正面２１と背面２２とが反転された状態で、ユーザは筐体２０が筐体１０に重なるように軸心Ａ１周りに回転させる。これにより、ノート型コンピュータ１は、筐体１０の上面１１と筐体２０の背面２２が対向した第２重畳状態となる。
【００１２】
図２は、筐体１０の分解斜視図である。筐体１０は、ケース１０Ｆ、１０Ｒ、カバー３０を含む。ケース１０Ｆ、１０Ｒは、金属製である。カバー３０は、絶縁材製、具体的には合成樹脂製であるがこれに限定されない。例えばカバー３０はゴム製であってもよい。カバー３０はケース１０Ｆに組み付けられている。筐体１０の上面１１は、ケース１０Ｆとカバー３０とにより画定される。筐体１０の底面１２は、ケース１０Ｒによって画定される。ケース１０Ｆ、１０Ｒは、金属製の第１壁部の一例である。カバー３０は、絶縁材製の第２壁部の一例である。カバー３０は、詳しくは後述するがタッチセンサ及びアンテナを覆っている。カバー３０には、押下げ可能な操作部３６が設けられている。カバー３０には複数の孔３４が形成されている。
【００１３】
ケース１０Ｒ側には、マザーボードＭ、マザーボードＭに実装された半導体チップＣＰから受熱するヒートパイプＨＰ、ヒートパイプＨＰに連結されたラジエータＲ、ラジエータＲを冷却するファンＦ、が配置されている。ケース１０Ｒには、表示ユニットＵのタッチパネルを操作するためのタッチペンＰが収納されている。ケース１０Ｒには、２つのバッテリＢが配置されている。この２つのバッテリＢは、筐体１０に収納され、カバー３０を挟む。バッテリＢは、筐体１０から取外し可能である。
【００１４】
筐体１０の大部分は、金属製のケース１０Ｆ、１０Ｒにより画定される。一般的に、金属の密度は絶縁材の密度よりも大きく、金属の強度は絶縁材の強度よりも大きい。このため、薄い金属により筐体を形成することにより、絶縁材により筐体を形成した場合に比して、筺体の強度を確保しつつ軽量化が図られている。本実施例では、筐体１０の大部分を金属製で形成することにより、筐体１０の強度と軽量化とを確保している。
【００１５】
図３は、ケース１０Ｆの内側を示した斜視図である。図４、５は、筺体１０の一部の部材を示した分解斜視図である。カバー３０の表側には、シートＳが貼り付けられる。カバー３０には開口３２が設けられており、カバー３０に固定された操作部３６の一部が開口３２から操作可能に露出する。カバー３０の内側にはタッチセンサ４０が配置される。タッチセンサ４０は、静電容量方式のタッチセンサであるが、その他の方式のタッチセンサであってもよい。タッチセンサ４０は、ユーザの指がカバー３０に貼り付けられたシートＳに触れた位置を検出する。金属片４６は、一端がケース１０Ｆに接続され他端がタッチセンサ４０に接続される。これにより、タッチセンサ４０はグランド接続される。
【００１６】
アンテナ５０は、電波を送受信して無線通信を行なう。アンテナ５０は、ケーブルが接続され、このケーブルは図２に示したコネクタＣ１に接続される。これにより、アンテナ５０はマザーボードＭと電気的に接続される。
【００１７】
プリント基板８０は、可撓性を有したフレキシブルプリント基板であるが、これに限定されず、リジットプリント基板であってもよい。プリント基板８０は、図２に示したコネクタＣ２を介してマザーボードＭに接続される。また、プリント基板８０は、タッチセンサ４０に接続される。プリント基板８０には、複数のＬＥＤ（Light Emitting Diode）８５、操作部３６が押下げられることによって操作部３６により押されるスイッチ８６が実装されている。ＬＥＤ８５は、発光部の一例である。
【００１８】
導光部材６０は、ＬＥＤ８５の光をカバー３０の孔３４に導く。スポンジ７０は、ＬＥＤ８５を囲いＬＥＤ８５からの光が外部に漏れるのを防止している。スポンジ７０は、発光部周辺を囲うと共にアンテナを支持する包囲部材の一例である。支持部材９０は、プリント基板８０を支持するための部材である。支持部材９０は合成樹脂製である。支持部材９０は、カバー３０の内側に固定される。プリント基板８０は、支持部材９０の形状に沿うように折り曲げられて支持部材９０に支持される。
【００１９】
図６、７は、それぞれ図４、５の部分拡大図である。導光部材６０は、導光部６１、ベース部６２、端部６４、６５、を含む。導光部６１は、所定間隔を有して平行に複数配置されている。ベース部６２は、複数の導光部６１に連続し導光部６１に直交するように延びている。端部６５は、導光部６１の一端に形成されＬＥＤ８５に対向する。端部６４は、導光部６１の他端に形成されカバー３０の孔３４に嵌合する。スポンジ７０は、略直方体であり、複数のスリット７１が形成されている。導光部６１は、スリット７１内に挿入される。
【００２０】
プリント基板８０は、部分８１ａ〜８１ｇを含む。部分８１ａは、所定方向に延びている。部分８１ｂは、部分８１ａから垂直に折り曲げられている。部分８１ｃは、部分８１ｂから折り曲げられ部分８１ａと直交する方向に延びている。部分８１ｄは、部分８１ｃから直交し部分８１ａと同じ方向に延びている。部分８１ｅは、部分８１ｄに対して直交する方向に延びている。部分８１ｆは、部分８１ｄから垂直に折り曲げられている。部分８１ｇは、部分８１ｆから垂直に折り曲げられ、部分８１ｅと平行に延びている。部分８１ａの端部８１ａ１は、マザーボードＭのコネクタＣ２に接続される。部分８１ｃの端部８１ｃ１は、タッチセンサ４０に接続される。部分８１ｅには２つのスイッチ８６が実装されている。部分８１ｇには複数のＬＥＤ８５が実装されている。複数のＬＥＤ８５は、ノート型コンピュータ１の状態に応じて点灯パターンが異なる。例えば、バッテリＢの充電状態に応じて、ＬＥＤ８５が点灯、点滅、又は消灯する。部分８１ｅ、８１ｇは、異なる高さに位置する。従って、スイッチ８６とＬＥＤ８５とは異なる高さに位置する。
【００２１】
図８は、筐体１０の部分断面図である。筐体１０の上面１１は底面１２と対向している。タッチセンサ４０は、カバー３０の背面に当接するように配置される。これにより、タッチセンサ４０は、カバー３０の上面に貼り付けられたシートＳに触れたユーザの指の位置を検出する。
【００２２】
図９は、図８の部分拡大図である。カバー３０は、互いに略直交する上面３１及び側面３３を有している。ケース１０Ｒは、互いに略直交する底面１２及び側面１３Ｒを有している。カバー３０の上面３１とケース１０Ｆとは、協働で筐体１０の上面１１を画定する。カバー３０の側面３３とケース１０Ｒの側面１３Ｒとは、協働で筐体１０の側面１３を画定する。孔３４は、カバー３０の上面３１と側面３３とにより画定された角部ＣＮの近傍の上面３１に形成されている。筐体１０の上面１１は第１面の一例であり、筐体１０の側面１３は第２面の一例である。
【００２３】
導光部材６０の導光部６１は、鉛直方向に対して斜めに延びている。端部６５はＬＥＤ８５と対向し、端部６４は孔３４に嵌合している。ＬＥＤ８５の光は、導光部６１の端部６５に入射し、導光部６１を進行して端部６４から照射される。このように、導光部材６０はＬＥＤ８５の光を筐体１０外部にまで導いている。スイッチ８６が実装されている部分８１ｅは、操作部３６と対向して支持部材９０に支持されている。ＬＥＤ８５が実装されたプリント基板８０の部分８１ｇは、スポンジ７０を介してアンテナ５０の真下に位置している。カバー３０の内側にスポンジ３９が貼り付けられる。アンテナ５０は、スポンジ７０とスポンジ３９との間に配置される。
【００２４】
タッチセンサ４０、アンテナ５０は、合成樹脂製であるカバー３０の内側に配置されている。タッチセンサ４０を合成樹脂製のカバー３０の内側に配置する理由は、例えばタッチセンサ４０が金属製のケース１０Ｆの内側に配置されると、タッチセンサ４０はユーザの指の位置を正確に検出できないおそれがあるからである。アンテナ５０を合成樹脂製のカバー３０の内側に配置する理由は、アンテナ５０を金属製のケース１０Ｆの内側に配置すると、アンテナ５０の電波の送受信感度が低下するおそれがあるからである。本実施例では、合成樹脂製のカバー３０の内側にタッチセンサ４０、アンテナ５０が配置されるので、タッチセンサ４０の検出精度とアンテナ５０による電波の送受信感度との双方を確保している。
【００２５】
また、タッチセンサ４０、アンテナ５０は、同じカバー３０の内側に配置される。例えばタッチセンサ４０、アンテナ５０を覆うための絶縁材製の壁部を個別に設けると、筺体の製造コストが増大する。しかしながら、本実施例のように単一のカバー３０を利用することにより、筐体１０の製造コストが低減される。これにより、ノート型コンピュータ１の製造コストが低減されている。
【００２６】
合成樹脂製であるカバー３０に孔３４が形成されている。これにより、例えば金属製のケース１０Ｆにこのような孔を形成する場合と比較して、コストが低減される。タッチセンサ４０、アンテナ５０は同一箇所に集約されているので、筐体１０内のスペースが増大する。これにより、タッチセンサ４０、アンテナ５０を挟むように２つのバッテリＢを配置されている。また、ＬＥＤ８５の光漏れを防止するスポンジ７０がアンテナ５０を支持しているので部品点数が削減されている。
【００２７】
図１０は、アンテナ５０とプリント基板８０との位置関係の説明図である。プリント基板８０には導体パターンが形成されているため、プリント基板８０はアンテナ５０の電波の送受信に影響を与える。例えば、アンテナ５０がプリント基板８０で覆われると、アンテナ５０の送受信感度は低減する。図１０に示すように、角部ＣＮからアンテナ５０までの距離Ｄ１は、角部ＣＮからプリント基板８０までの距離Ｄ２よりも短い。ここで、距離Ｄ２は、角部ＣＮから角部ＣＮに最も近いプリント基板８０の部分（部分８１ｇの端部）までの距離を示している。また、図１０では、筐体１０内での角部ＣＮを中心とし距離Ｄ１を半径とする円弧で囲まれる領域ＲＥをハッチングにより示している。角度αは、アンテナ５０を中心としたプリント基板８０を含まない角度範囲を示している。角度αが大きいほど、アンテナ５０の送受信感度が向上する。
【００２８】
例えば、プリント基板８０が角部ＣＮの近くに配置され領域ＲＥ内に配置される場合、アンテナ５０を中心としたプリント基板８０を含まない角度範囲は、図１０に示した角度αよりも小さくなる。このため、アンテナ５０の送受信感度が低減する。本実施例では、距離Ｄ１は距離Ｄ２よりも短い。即ち、アンテナ５０の方が、プリント基板８０よりも角部ＣＮの近くに配置されている。このため、角度αの大きさが確保されており、アンテナ５０の送受信感度の低減が抑制される。角度αは、例えば、２２５度以上が望ましいが、それ以下であってもよい。２２５度は、第１展開状態での表示ユニットＵの面に対する垂線を含む４５度の角度範囲に、１８０度を加えた値である。角度αの範囲内には、角部ＣＮが含まれる。
【００２９】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３０】
尚、上記実施例においては、電子装置の一例としてノート型コンピュータを例に説明したが、電子装置はそれ以外であってもよい。例えば、タブレットコンピュータ、携帯電話、電子辞書、ＰＤＡ、ゲーム機、カメラ、音楽プレイヤー、ナビゲーション装置等である。また、電子装置は、このような携帯装置のみならず、据置型の電子装置であってもよい。例えば、電子装置は、デスクトップ型のコンピュータ、キーボード、ポインティングデバイス、オーディオ、テレビ、その他の家電製品であってもよい。
【００３１】
上記実施例において、発光部の一例としてＬＥＤを説明したがこれに限定されない。発光部は、例えば白熱球や蛍光灯であってもよい。上記実施例において、包囲部材の一例としてスポンジを説明したが、包囲部材は絶縁材製であればよい。包囲部材は、例えば合成樹脂製やゴム製であってもよい。
【符号の説明】
【００３２】
１  ノート型コンピュータ
１０、２０  筐体
３０  カバー
３６  操作部
４０  タッチセンサ
５０  アンテナ
６０  導光部材
７０  スポンジ
８０  プリント基板
８５  ＬＥＤ
８６  スイッチ
Ｂ  バッテリ
ＣＮ  角部
【図１】
0005732970.tif 000002
【図２】
0005732970.tif 000003
【図３】
0005732970.tif 000004
【図４】
0005732970.tif 000005
【図５】
0005732970.tif 000006
【図６】
0005732970.tif 000007
【図７】
0005732970.tif 000008
【図８】
0005732970.tif 000009
【図９】
0005732970.tif 000010
【図１０】
0005732970.tif 000011